(57)【要約】【課題】接続信頼性を保持することができるサンバイザ用コネクタを提供する。【解決手段】ブラケットと、端部がブラケットを挿通して回動可能に配置されるアーム部と、ブラケットに固定されブラケットを挿通するアーム部の端部近傍に配置されるハウジング１１と、ハウジング１１に収容され相手端子に接続される一対のコネクタ端子１３，１３と、一対のコネクタ端子１３，１３にそれぞれ弾性変形可能に設けられ付勢力によってアーム部の端部を挟んで接続される一対のアーム接続部１５，１５とを備えたサンバイザ用コネクタ１において、ハウジング１１に、一対のアーム接続部１５，１５と当接しアーム部９の端部に対する付勢力を残して一対のアーム接続部１５，１５を離間して配置させる予備変位部１７を設けた。【選択図】図７
2020019418.tif 000002
【特許請求の範囲】
【請求項１】
取付部材に取り付けられるブラケットと、
前記取付部材の一側に配置されたサンバイザ本体を回動可能に支持し端部が前記ブラケットを挿通して回動可能に配置されるアーム部と、
前記ブラケットの前記取付部材の他側に固定され前記ブラケットを挿通する前記アーム部の端部近傍に配置されるハウジングと、
前記ハウジングに収容され前記取付部材の他側に配置された相手端子に接続される一対のコネクタ端子と、
一対の前記コネクタ端子にそれぞれ弾性変形可能に設けられ付勢力によって前記アーム部の端部を挟んで接続される一対のアーム接続部と、
前記ハウジングに設けられ一対の前記アーム接続部と当接し前記アーム部の端部に対する付勢力を残して一対の前記アーム接続部を離間して配置させる予備変位部と、
を有することを特徴とするサンバイザ用コネクタ。
【請求項２】
請求項１記載のサンバイザ用コネクタであって、
前記予備変位部は、前記コネクタ端子を前記ハウジングに収容するときの収容方向に延設されたリブを有し、
前記リブの収容方向前側には、一対の前記アーム接続部を離間させる方向に傾斜されたテーパが設けられていることを特徴とするサンバイザ用コネクタ。
【請求項３】
請求項１又は２記載のサンバイザ用コネクタであって、
前記ハウジングには、一対の前記アーム接続部が離間する方向に過大に変位する前に一対の前記アーム接続部と当接される過大変位防止部が設けられていることを特徴とするサンバイザ用コネクタ。
【請求項４】
請求項１乃至３のいずれか１項に記載のサンバイザ用コネクタであって、
前記ハウジングには、前記ハウジングを前記ブラケットから離脱させるときに、一対の前記アーム接続部と離脱方向に当接される変形防止部が設けられていることを特徴とするサンバイザ用コネクタ。
【発明の詳細な説明】
【技術分野】
【０００１】
本発明は、サンバイザ用コネクタに関する。詳細には、取付部材に回動可能に取り付けられたサンバイザに適用されるサンバイザ用コネクタに関する。
【背景技術】
【０００２】
従来、サンバイザ用コネクタとしては、取付部材としての車室の天井に取り付けられるブラケットと、車室側に配置されたサンバイザ本体を回動可能に支持し端部がブラケットを挿通して回動可能に配置されるアーム部としての支軸と、ブラケットの車室外側に固定されブラケットを挿通する支軸の端部近傍に配置されるハウジングと、ハウジングに収容され車室外側に配置された相手端子に接続される一対のコネクタ端子と、一対のコネクタ端子にそれぞれ弾性変形可能に設けられ付勢力によって支軸の端部を挟んで接続される一対のアーム接続部とを備えたものが知られている（例えば、特許文献１参照）。
【０００３】
このサンバイザ用コネクタでは、サンバイザ本体を回動させることにより、一対のアーム接続部と支軸の端部とが、接触状態と非接触状態とを切り換えられ、サンバイザ本体に設けられた照明機器の点灯と消灯とが切り換えられる。
【先行技術文献】
【特許文献】
【０００４】
【特許文献１】特開２０１１−２３０５５９号公報
【発明の概要】
【発明が解決しようとする課題】
【０００５】
ところで、上記特許文献１のようなサンバイザ用コネクタでは、一対のコネクタ端子がハウジングに収容された状態で、ハウジングがブラケットに組付けられ、一対のアーム接続部の間に、アーム部の端部が配置されて接続される。
【０００６】
このとき、一対のアーム接続部の間が、アーム部の端部の幅より狭いと、アーム接続部がアーム部の端部に衝突してしまう、いわゆるど突きを生じてしまい、アーム接続部に変形が生じ、接続信頼性が低下する虞があった。
【０００７】
そこで、この発明は、接続信頼性を保持することができるサンバイザ用コネクタの提供を目的としている。
【課題を解決するための手段】
【０００８】
請求項１記載の発明は、取付部材に取り付けられるブラケットと、前記取付部材の一側に配置されたサンバイザ本体を回動可能に支持し端部が前記ブラケットを挿通して回動可能に配置されるアーム部と、前記ブラケットの前記取付部材の他側に固定され前記ブラケットを挿通する前記アーム部の端部近傍に配置されるハウジングと、前記ハウジングに収容され前記取付部材の他側に配置された相手端子に接続される一対のコネクタ端子と、一対の前記コネクタ端子にそれぞれ弾性変形可能に設けられ付勢力によって前記アーム部の端部を挟んで接続される一対のアーム接続部と、前記ハウジングに設けられ一対の前記アーム接続部と当接し前記アーム部の端部に対する付勢力を残して一対の前記アーム接続部を離間して配置させる予備変位部とを有することを特徴とするサンバイザ用コネクタである。
【０００９】
このサンバイザ用コネクタでは、ハウジングに、一対のアーム接続部と当接しアーム部の端部に対する付勢力を残して一対のアーム接続部を離間して配置させる予備変位部が設けられているので、ハウジングに一対のコネクタ端子を収容した状態で、一対のアーム接続部の間を広げることができる。
【００１０】
この予備変位部で一対のアーム接続部の間を広げた状態で、ハウジングをブラケットに組付けることにより、アーム接続部とアーム部の端部とのど突きを緩和することができ、アーム接続部の変形を抑制することができる。
【００１１】
また、一対のアーム接続部は、予備変位部と当接した状態で付勢力を残しているので、一対のアーム接続部とアーム部の端部との接触荷重を保持することができ、一対のコネクタ端子とアーム部とを安定して接続することができる。
【００１２】
従って、このようなサンバイザ用コネクタでは、ハウジングをブラケットに組付けるときのアーム接続部とアーム部の端部とのど突きを緩和し、一対のアーム接続部とアーム部の端部との接触荷重を保持できるので、接続信頼性を保持することができる。
【００１３】
請求項２記載の発明は、請求項１記載のサンバイザ用コネクタであって、前記予備変位部は、前記コネクタ端子を前記ハウジングに収容するときの収容方向に延設されたリブを有し、前記リブの収容方向前側には、一対の前記アーム接続部を離間させる方向に傾斜されたテーパが設けられていることを特徴とする。
【００１４】
このサンバイザ用コネクタでは、リブの収容方向前側に、一対のアーム接続部を離間させる方向に傾斜されたテーパが設けられているので、コネクタ端子のハウジングへの収容動作に連動して一対のアーム接続部の間を広げることができる。
【００１５】
請求項３記載の発明は、請求項１又は２記載のサンバイザ用コネクタであって、前記ハウジングには、一対の前記アーム接続部が離間する方向に過大に変位する前に一対の前記アーム接続部と当接される過大変位防止部が設けられていることを特徴とする。
【００１６】
このサンバイザ用コネクタでは、ハウジングに、一対のアーム接続部が離間する方向に過大に変位する前に一対のアーム接続部と当接される過大変位防止部が設けられているので、ハウジングにコネクタ端子を収容するときや一対のアーム接続部の間にアーム部の端部が挿入されたときに、アーム接続部が過大に変位して変形することを防止することができる。
【００１７】
請求項４記載の発明は、請求項１乃至３のいずれか１項に記載のサンバイザ用コネクタであって、前記ハウジングには、前記ハウジングを前記ブラケットから離脱させるときに、一対の前記アーム接続部と離脱方向に当接される変形防止部が設けられていることを特徴とする。
【００１８】
このサンバイザ用コネクタでは、ハウジングに、ハウジングをブラケットから離脱させるときに、一対のアーム接続部と離脱方向に当接される変形防止部が設けられているので、ハウジングをブラケットから離脱させるときに、一対のアーム接続部とアーム部の端部との摺動によりアーム接続部が離脱方向と反対方向に変形することを防止することができる。
【発明の効果】
【００１９】
本発明によれば、接続信頼性を保持することができるサンバイザ用コネクタを提供することができるという効果を奏する。
【図面の簡単な説明】
【００２０】
【図１】本発明の実施の形態に係るサンバイザ用コネクタが適用されたサンバイザの斜視図である。
【図２】本発明の実施の形態に係るサンバイザ用コネクタが適用されたサンバイザを取付部材に取り付けたときの側面図である。
【図３】本発明の第１実施形態に係るサンバイザ用コネクタの斜視図である。
【図４】本発明の第１実施形態に係るサンバイザ用コネクタのハウジングにコネクタ端子を収容するときの斜視図である。
【図５】図４の平面図である。
【図６】本発明の第１実施形態に係るサンバイザ用コネクタのハウジングにコネクタ端子を収容したときの斜視図である。
【図７】図６の平面図である。
【図８】本発明の第１実施形態に係るサンバイザ用コネクタのブラケットにハウジングを組付けるときの断面図である。
【図９】本発明の第１実施形態に係るサンバイザ用コネクタのアーム接続部が過大変位防止部に当接したときの断面図である。
【図１０】本発明の第１実施形態に係るサンバイザ用コネクタのブラケットの斜視図である。
【図１１】本発明の第１実施形態に係るサンバイザ用コネクタのアーム部の斜視図である。
【図１２】本発明の第１実施形態に係るサンバイザ用コネクタのハウジングの斜視図である。
【図１３】本発明の第１実施形態に係るサンバイザ用コネクタのコネクタ端子の斜視図である。
【図１４】本発明の第２実施形態に係るサンバイザ用コネクタの側面図である。
【図１５】本発明の第２実施形態に係るサンバイザ用コネクタのハウジングにコネクタ端子を収容したときの平面図である。
【図１６】本発明の第２実施形態に係るサンバイザ用コネクタのブラケットにハウジングを組付けたときのハウジングの平面図である。
【図１７】図１４のＡ−Ａ断面図である。
【図１８】図１４のＢ−Ｂ断面図である。
【図１９】本発明の第３実施形態に係るサンバイザ用コネクタの側面図である。
【図２０】本発明の第３実施形態に係るサンバイザ用コネクタのハウジングにコネクタ端子を収容するときの平面図である。
【図２１】本発明の第３実施形態に係るサンバイザ用コネクタのハウジングにコネクタ端子を収容したときの平面図である。
【図２２】本発明の第３実施形態に係るサンバイザ用コネクタのブラケットにハウジングを組付けたときのハウジングの平面図である。
【図２３】図１９のＣ−Ｃ断面図である。
【図２４】図１９のＤ−Ｄ断面図である。
【発明を実施するための形態】
【００２１】
図１〜図２４を用いて本発明の実施の形態に係るサンバイザ用コネクタについて説明する。
【００２２】
（第１実施形態）
図１〜図１３を用いて第１実施形態について説明する。
【００２３】
本実施の形態に係るサンバイザ用コネクタ１は、取付部材３に取り付けられるブラケット５と、取付部材３の一側（以下「車室側」とする）に配置されたサンバイザ本体７を回動可能に支持し端部がブラケット５を挿通して回動可能に配置されるアーム部９と、ブラケット５の取付部材３の他側（以下「車室外側」とする）に固定されブラケット５を挿通するアーム部９の端部近傍に配置されるハウジング１１と、ハウジング１１に収容され車室外側に配置された相手端子に接続される一対のコネクタ端子１３，１３と、一対のコネクタ端子１３，１３にそれぞれ弾性変形可能に設けられ付勢力によってアーム部９の端部を挟んで接続される一対のアーム接続部１５，１５とを備えている。
【００２４】
そして、ハウジング１１には、一対のアーム接続部１５，１５と当接しアーム部９の端部に対する付勢力を残して一対のアーム接続部１５，１５を離間して配置させる予備変位部１７が設けられている。
【００２５】
また、予備変位部１７は、コネクタ端子１３をハウジング１１に収容するときの収容方向に延設されたリブ１９，１９を有し、リブ１９の収容方向前側には、一対のアーム接続部１５，１５を離間させる方向に傾斜されたテーパ２１，２１が設けられている。
【００２６】
さらに、ハウジング１１には、一対のアーム接続部１５，１５が離間する方向に過大に変位する前に一対のアーム接続部１５，１５と当接される過大変位防止部２３，２３が設けられている。
【００２７】
図１〜図１３に示すように、サンバイザ用コネクタ１は、取付部材３としての車室の天井に取り付けられるサンバイザ２５に適用される。
【００２８】
サンバイザ２５は、サンバイザ本体７と、サンバイザ用コネクタ１とを備えている。
【００２９】
サンバイザ本体７は、長方形状に形成されて取付部材３としての天井の車室側に配置され、表面にミラー（不図示）とミラーを照射するランプ（不図示）が配置され、内部にランプを点灯、消灯する照明機器（不図示）が収容されている。
【００３０】
このサンバイザ本体７には、長辺部分に挿通され、端部から天井（取付部材３）側に向けて露出するアーム部９が配置され、サンバイザ用コネクタ１を介して天井（取付部材３）の車室外側に配置された電力供給用の電源（不図示）に照明機器が電気的に接続される。
【００３１】
サンバイザ用コネクタ１は、ブラケット５と、アーム部９と、ハウジング１１と、一対のコネクタ端子１３，１３とを備えている。
【００３２】
ブラケット５は、長方形の板状に形成され、長さ方向の両側にそれぞれ設けられた取付部２７，２７でボルトなどの固定手段を介して取付部材３に固定される。
【００３３】
このブラケット５の中央部には、アーム部９の端部が挿通され、アーム部９を回動可能に支持する筒状に形成された支持部２９が設けられている。
【００３４】
アーム部９は、内部にサンバイザ本体７に収容された照明機器と電気的に接続される２本の導体（不図示）がインサート成形され、長軸部３１と、短軸部３３とを備えている。
【００３５】
長軸部３１は、サンバイザ本体７の長辺近傍の内部に挿通され、サンバイザ本体７を、長軸部３１の軸心回りにおいて、格納位置（取付部材３に対して閉じた状態となる位置）と遮光位置（フロントガラスやサイドガラスに対して閉じた状態となる位置）との間で、回動可能に支持する。
【００３６】
この長軸部３１のサンバイザ本体７の内部に位置する端部には、アーム部９の内部にインサート成形された２本の導体が露出して配置された一対の接点部（不図示）が設けられ、照明機器に設けられた一対の端子（不図示）が接触されている。
【００３７】
この一対の接点部と一対の端子とは、例えば、サンバイザ本体７の格納位置で非接触とされてランプを消灯し、サンバイザ本体７の遮光位置で接触されてランプを点灯させる。
【００３８】
このような長軸部３１のサンバイザ本体７の外部に露出する端部には、短軸部３３が連続する一部材で設けられている。
【００３９】
短軸部３３は、アーム部９をＬ字状に形成するように、サンバイザ本体７から露出する長軸部３１の端部から取付部材３側に向けて延設されている。
【００４０】
この短軸部３３は、取付部材３側に、短軸部３３の軸心回りに回転する回動部３５が設けられ、この回動部３５をブラケット５の支持部２９に挿通させ、圧入して固定することにより、アーム部９が短軸部３３の軸心回りに回動可能にブラケット５に支持される。
【００４１】
このように短軸部３３をブラケット５に支持することにより、サンバイザ本体７が、短軸部３３の軸心回りにおいて、フロント位置（フロントガラス側に移動した位置）とサイド位置（サイドガラス側に移動した位置）との間を、回動可能となる。
【００４２】
このような短軸部３３のブラケット５を挿通する端部には、アーム部９の内部にインサート成形された２本の導体が露出して配置された一対の接点部３７，３７が設けられている。
【００４３】
この一対の接点部３７，３７が配置されたブラケット５には、一対の接点部３７，３７を覆うようにハウジング１１が配置される。
【００４４】
ハウジング１１は、合成樹脂などの絶縁性材料からなり、取付部材３の車室外側に配置され、電力供給用の電源に接続された相手ハウジング（不図示）が嵌合される一対の嵌合部３９，３９が設けられている。
【００４５】
このハウジング１１は、ブラケット５の支持部２９を覆うように配置され、ハウジング１１とブラケット５との間に設けられた係合部４１を介してハウジング１１がブラケット５に固定される。
【００４６】
係合部４１は、ハウジング１１の一対の嵌合部３９，３９が位置するブラケット５との対向面からブラケット５側に向けて延設された凸部４３，４３と、ブラケット５の支持部２９の両側で凸部４３，４３を挿入可能に設けられた凹部４５，４５とからなる。
【００４７】
この係合部４１の一端側には、凸部４３，４３の一端側でハウジング１１の側面から外方に向けて突設された支点凸部４７，４７と、凹部４５，４５の一端側でブラケット５の上面を残して支点凸部４７を収容可能に設けられた支点凹部４９，４９とからなる支点部５１，５１が設けられている。
【００４８】
この支点部５１は、ハウジング１１をブラケット５に組付けるときに、支点凸部４７と支点凹部４９とが係合され、ハウジング１１をブラケット５に対して回動させるときの支点となる。
【００４９】
このような支点部５１を介してハウジング１１をブラケット５に対して回動させることにより、係合部４１において、凸部４３，４３が凹部４５，４５に挿入されて係合され、ハウジング１１がブラケット５に固定される。
【００５０】
このようなハウジング１１の内部には、一対のコネクタ端子１３，１３が収容され、一対の嵌合部３９，３９に相手ハウジングを嵌合させることにより、アーム部９を介してサンバイザ本体７の内部に収容された照明機器への電力供給が可能となる。
【００５１】
一対のコネクタ端子１３，１３は、それぞれ本体部５３と、相手接続部５５と、アーム接続部１５と、固定部５７とを備えている。
【００５２】
なお、一対のコネクタ端子１３，１３は、左右対称に形成されているので、以下では、一方のコネクタ端子１３について説明し、他方のコネクタ端子１３の説明については省略する。
【００５３】
本体部５３は、導電性材料からなり、平板状に形成され、折り曲げ加工を施すことにより、一端側に相手接続部５５が設けられ、他端側にアーム接続部１５が設けられている。
【００５４】
相手接続部５５は、本体部５３の一端側に折り曲げ加工を施すことにより、内部に接点を有する弾性変形可能な弾性片が配置された箱状に形成されている。
【００５５】
この相手接続部５５は、ハウジング１１に収容された状態で、嵌合部３９内に配置され、嵌合部３９に相手ハウジングが嵌合されることにより、相手ハウジングに収容された相手端子（不図示）と接触し、コネクタ端子１３と相手端子とが電気的に接続される。
【００５６】
アーム接続部１５は、本体部５３の他端側に折り曲げ加工を施すことにより、屈曲部５９を介して弾性変形可能に設けられ、アーム部９の接点部３７側に向けて突出する接点１５ａが設けられている。
【００５７】
このアーム接続部１５は、ハウジング１１に収容された状態で、ハウジング１１のアーム部９の一対の接点部３７，３７に向けて露出する保護部６１内で、一対の接点部３７，３７（アーム部９の端部）を挟んで、他方のコネクタ端子１３のアーム接続部１５と対向して配置される。
【００５８】
このようなアーム接続部１５は、他方のコネクタ端子１３のアーム接続部１５と、一対のアーム接続部１５，１５を構成し、一対の接点部３７，３７に対してその付勢力によって挟持するように接触され、一対のコネクタ端子１３，１３とアーム部９とが電気的に接続される。
【００５９】
ここで、アーム部９は、ブラケット５に対して短軸部３３の軸心回りを回動可能となっているので、サンバイザ本体７は、フロント位置とサイド位置との間を回動可能となっている。
【００６０】
このようなサンバイザ本体７の動きに対して、一対のアーム接続部１５，１５と一対の接点部３７，３７とは、例えば、サンバイザ本体７のフロント位置で接触されてランプを点灯し、サンバイザ本体７のサイド位置で非接触とされてランプを消灯させる。
【００６１】
このようなアーム接続部１５と相手接続部５５との間に位置する本体部５３には、ハウジング１１にコネクタ端子１３を固定させる固定部５７が設けられている。
【００６２】
固定部５７は、本体部５３の相手接続部５５とアーム接続部１５との間に位置する側面からハウジング１１の内壁面に向けて突設されている。
【００６３】
この固定部５７には、幅方向の両側にそれぞれ外方に向けて傾斜形状に突設された圧入部６３，６３が設けられている。
【００６４】
この圧入部６３，６３は、ハウジング１１のブラケット５側の開口からコネクタ端子１３が収容され、ハウジング１１の内部に設けられた被圧入部（不図示）に圧入されることによって、コネクタ端子１３をハウジング１１に固定させる。
【００６５】
このような固定部５７は、ハウジング１１をブラケット５に組付ける前の状態で、ハウジング１１の被圧入部に圧入され、予めコネクタ端子１３をハウジング１１に固定させる。
【００６６】
なお、固定部５７と相手接続部５５との間に位置する本体部５３には、相手端子と相手接続部５５との嵌合方向と直交する平面方向と、相手端子と相手接続部５５との嵌合方向と平行な平面方向とに折り曲げられた折曲部６５が設けられている。
【００６７】
この折曲部６５は、相手接続部５５と相手端子との間で発生した遊動などの相手接続部５５側で発生した振動を減衰させ、アーム接続部１５側で接触不良が生じることを抑制している。
【００６８】
加えて、折曲部６５を設けることにより、相手接続部５５とアーム接続部１５とを近接して配置することができ、コネクタ端子１３を収容するハウジング１１を小型化することができる。
【００６９】
このような一対のコネクタ端子１３，１３が収容されたハウジング１１は、支点部５１を支点としてブラケット５に対してハウジング１１を回動させることにより、係合部４１を介してハウジング１１がブラケット５に組付けられる。
【００７０】
このとき、一対のアーム接続部１５，１５の間には、アーム部９の端部が挿入され、一対のアーム接続部１５，１５がアーム部９の一対の接点部３７，３７に接触される。
【００７１】
このような一対のアーム接続部１５，１５の間にアーム部９の端部を挿入するときに、一対のアーム接続部１５，１５の間が狭いと、アーム接続部１５がアーム部９の端部にど突いてしまい、アーム接続部１５に変形が生じる虞があった。
【００７２】
そこで、ハウジング１１には、一対のアーム接続部１５，１５と当接し、アーム部９の一対の接点部３７，３７に対する付勢力を残して、一対のアーム接続部１５，１５を離間して配置させる予備変位部１７が設けられている。
【００７３】
予備変位部１７は、ハウジング１１の保護部６１内で一対のアーム接続部１５，１５の自由端側と対応する位置に設けられ、一対のコネクタ端子１３，１３をハウジング１１に収容するときの収容方向に沿って延設されたリブ１９，１９となっている。
【００７４】
このリブ１９，１９は、ハウジング１１に一対のコネクタ端子１３，１３が収容された状態で、一対のアーム接続部１５，１５の間で一対のアーム接続部１５，１５の自由端側に当接し、一対のアーム接続部１５，１５の間を広げるように、一対のアーム接続部１５，１５を互いに離間して配置させる。
【００７５】
このリブ１９，１９によって広げられた一対のアーム接続部１５，１５の間は、アーム部９の端部の径より僅かに小さくなっており、一対のアーム接続部１５，１５の間にアーム部９の一対の接点部３７，３７が位置したときに、一対のアーム接続部１５，１５と一対の接点部３７，３７とが正常な接触荷重で接触できるように、一対のアーム接続部１５，１５の付勢力が残されている。
【００７６】
このような予備変位部１７で予め一対のアーム接続部１５，１５の間を広げることにより、ハウジング１１をブラケット５に組付けるときに、一対のアーム接続部１５，１５がアーム部９の端部にど突くことを緩和することができる。
【００７７】
このため、一対のアーム接続部１５，１５のアーム部９の端部とのど突きによる一対のアーム接続部１５，１５の変形を抑制し、一対のアーム接続部１５，１５と一対の接点部３７，３７との接触荷重を保持して、接続信頼性を保持することができる。
【００７８】
加えて、予備変位部１７で変位された一対のアーム接続部１５，１５は、一対の接点部３７，３７に対する付勢力を残しているので、一対の接点部３７，３７に対する接触荷重が低減されることがなく、接続信頼性を保持することができる。
【００７９】
このような予備変位部１７であるリブ１９，１９の収容方向前側（コネクタ端子１３をハウジング１１に収容するときに初めにアーム接続部１５と当接する側）には、一対のアーム接続部１５，１５を離間させる方向に傾斜されたテーパ２１，２１が設けられている。
【００８０】
このようなテーパ２１，２１をリブ１９，１９に設けることにより、コネクタ端子１３のハウジング１１への収容動作に連動して、テーパ２１，２１と一対のアーム接続部１５，１５とが摺動し、一対のアーム接続部１５，１５の間を広げる（予備変位させる）ことができる。
【００８１】
ここで、一対のアーム接続部１５，１５は、互いに離間する方向に過大に変位されてしまうと、永久変形によってその付勢力が変化し、一対の接点部３７，３７に対する接触荷重が低下してしまう虞がある。
【００８２】
そこで、ハウジング１１には、一対のアーム接続部１５，１５が離間する方向に過大に変位する前に一対のアーム接続部１５，１５と当接される過大変位防止部２３，２３が設けられている。
【００８３】
過大変位防止部２３，２３は、ハウジング１１の保護部６１内で一対のアーム接続部１５，１５を挟んでアーム部９の端部と対向する位置に一対のアーム接続部１５，１５側に向けて突設され、ハウジング１１の高さ方向に沿って延設されたリブとなっている。
【００８４】
この過大変位防止部２３，２３は、ハウジング１１にコネクタ端子１３を収容するときや一対のアーム接続部１５，１５の間にアーム部９の端部が挿入されたときなどに、一対のアーム接続部１５，１５が互いに離間する方向に過大に変位しようとする前に、一対のアーム接続部１５，１５と当接する。
【００８５】
このようにハウジング１１に過大変位防止部２３，２３を設けることにより、一対のアーム接続部１５，１５が離間する方向に過大に変位することがなく、一対のアーム接続部１５，１５に永久変形が発生することを防止することができる。
【００８６】
このため、一対のアーム接続部１５，１５の付勢力に変化が起こることがなく、一対の接点部３７，３７に対する接触荷重を保持して、接続信頼性を保持することができる。
【００８７】
このようなサンバイザ用コネクタ１では、ハウジング１１に、一対のアーム接続部１５，１５と当接しアーム部９の端部に対する付勢力を残して一対のアーム接続部１５，１５を離間して配置させる予備変位部１７が設けられているので、ハウジング１１に一対のコネクタ端子１３，１３を収容した状態で、一対のアーム接続部１５，１５の間を広げることができる。
【００８８】
この予備変位部１７で一対のアーム接続部１５，１５の間を広げた状態で、ハウジング１１をブラケット５に組付けることにより、アーム接続部１５とアーム部９の端部とのど突きを緩和することができ、アーム接続部１５の変形を抑制することができる。
【００８９】
また、一対のアーム接続部１５，１５は、予備変位部１７と当接した状態で付勢力を残しているので、一対のアーム接続部１５，１５とアーム部９の端部との接触荷重を保持することができ、一対のコネクタ端子１３，１３とアーム部９とを安定して接続することができる。
【００９０】
従って、このようなサンバイザ用コネクタ１では、ハウジング１１をブラケット５に組付けるときのアーム接続部１５とアーム部９の端部とのど突きを緩和し、一対のアーム接続部１５，１５とアーム部９の端部との接触荷重を保持できるので、接続信頼性を保持することができる。
【００９１】
また、リブ１９，１９の収容方向前側には、一対のアーム接続部１５，１５を離間させる方向に傾斜されたテーパ２１，２１が設けられているので、コネクタ端子１３のハウジング１１への収容動作に連動して一対のアーム接続部１５，１５の間を広げることができる。
【００９２】
さらに、ハウジング１１には、一対のアーム接続部１５，１５が離間する方向に過大に変位する前に一対のアーム接続部１５，１５と当接される過大変位防止部２３，２３が設けられているので、ハウジング１１にコネクタ端子１３を収容するときや一対のアーム接続部１５，１５の間にアーム部９の端部が挿入されたときに、アーム接続部１５が過大に変位して変形することを防止することができる。
【００９３】
（第２実施形態）
図１４〜図１８を用いて第２実施形態について説明する。
【００９４】
本実施の形態に係るサンバイザ用コネクタ１０１は、ハウジング１１に、ハウジング１１をブラケット５から離脱させるときに、一対のアーム接続部１５，１５と離脱方向に当接される変形防止部１０３，１０３が設けられている。
【００９５】
また、変形防止部１０３，１０３は、一対のアーム接続部１５，１５とアーム部９の端部とが接続された状態から一対のアーム接続部１５，１５が離間する方向に変位するまで、一対のアーム接続部１５，１５の自由端側と当接可能に配置されている。
【００９６】
なお、第１実施形態と同様の構成には、同一の符号を付して構成及び機能説明は第１実施形態を参照するものとし省略するが、同様の構成であるので得られる作用・効果は同様である。
【００９７】
ここで、一対のアーム接続部１５，１５は、アーム部９の一対の接点部３７，３７に付勢力を付与して挟持するように接触されている。
【００９８】
このため、ハウジング１１をブラケット５から離脱させるときには、ハウジング１１の離脱方向（図１８の矢印方向）への移動に伴い、一対のアーム接続部１５，１５と一対の接点部３７，３７（アーム部９の端部）との間に摺動摩擦が発生する。
【００９９】
この一対のアーム接続部１５，１５とアーム部９の端部との摺動摩擦によって、一対のアーム接続部１５，１５がハウジング１１のブラケット５からの離脱方向と反対方向（図１８の矢印と反対方向）に変形してしまう虞があった。
【０１００】
そこで、図１４〜図１８に示すように、ハウジング１１には、ハウジング１１をブラケット５から離脱させるときに、一対のアーム接続部１５，１５と離脱方向に当接される変形防止部１０３，１０３が設けられている。
【０１０１】
変形防止部１０３，１０３は、ハウジング１１の保護部６１内において、ブラケット５と対向する開口の両側にそれぞれ幅方向の内側に向けて延設されている。
【０１０２】
ここで、一対のアーム接続部１５，１５は、一対のコネクタ端子１３，１３がハウジング１１に収容された状態で、図１５に示すように、予備変位部１７に当接されて互いに離間する方向に予備変位されている。
【０１０３】
このとき、変形防止部１０３，１０３には、一対のアーム接続部１５，１５の自由端側が配置されていない。
【０１０４】
この予備変位部１７に当接された一対のアーム接続部１５，１５は、ハウジング１１をブラケット５に組付けることによって、アーム部９の一対の接点部３７，３７と接触し、図１６に示すように、互いに離間する方向に変位される。
【０１０５】
このとき、変形防止部１０３，１０３には、互いに離間する方向に変位された一対のアーム接続部１５，１５の自由端側が配置される。
【０１０６】
このような変形防止部１０３，１０３の延設長さは、一対のアーム接続部１５，１５がアーム部９の一対の接点部３７，３７に接触した状態から一対のアーム接続部１５，１５が互いに離間する方向に変位する（ここではアーム接続部１５が過大変位防止部２３に当接する）までの間、一対のアーム接続部１５，１５のブラケット５と対向する面と当接するように設定されている。
【０１０７】
このように変形防止部１０３，１０３を設けることにより、ハウジング１１をブラケット５から離脱させるときに、一対のアーム接続部１５，１５とアーム部９の端部とが摺動しても、常に、変形防止部１０３，１０３が一対のアーム接続部１５，１５のブラケット５と対向する面と離脱方向に当接した状態となる。
【０１０８】
このため、一対のアーム接続部１５，１５とアーム部９の端部との摺動摩擦によって、一対のアーム接続部１５，１５がハウジング１１のブラケット５からの離脱方向と反対方向に変形しようとしても、変形防止部１０３，１０３との当接により一対のアーム接続部１５，１５が変形することがない。
【０１０９】
従って、ハウジング１１をブラケット５から離脱させても、一対のアーム接続部１５，１５が離脱方向と反対側に変形することがなく、接続信頼性を保持することができる。
【０１１０】
このようなサンバイザ用コネクタ１０１では、ハウジング１１に、ハウジング１１をブラケット５から離脱させるときに、一対のアーム接続部１５，１５と離脱方向に当接される変形防止部１０３，１０３が設けられているので、ハウジング１１をブラケット５から離脱させるときに、一対のアーム接続部１５，１５とアーム部９の端部との摺動によりアーム接続部１５が離脱方向と反対方向に変形することを防止することができる。
【０１１１】
また、変形防止部１０３，１０３は、一対のアーム接続部１５，１５とアーム部９の端部とが接続された状態から一対のアーム接続部１５，１５が離間する方向に変位するまで、一対のアーム接続部１５，１５の自由端側と当接可能に配置されているので、変形防止部１０３，１０３のサイズを必要最低限に抑えることができ、ハウジング１１の大型化を抑制することができる。
【０１１２】
（第３実施形態）
図１９〜図２４を用いて第３実施形態について説明する。
【０１１３】
本実施の形態に係るサンバイザ用コネクタ２０１は、変形防止部２０３，２０３が、一対のアーム接続部１５，１５と予備変位部１７とが当接された状態から一対のアーム接続部１５，１５とアーム部９の端部とが接続された状態を超えて一対のアーム接続部１５，１５が離間する方向に変位するまで、一対のアーム接続部１５，１５の自由端側と当接可能に配置されている。
【０１１４】
なお、他の実施形態と同様の構成には、同一の符号を付して構成及び機能説明は他の実施形態を参照するものとし省略するが、同様の構成であるので得られる作用・効果は同様である。
【０１１５】
図１９〜図２４に示すように、変形防止部２０３，２０３は、ハウジング１１の保護部６１内において、ブラケット５と対向する開口側に配置され、予備変位部１７からそれぞれ幅方向の外側に向けて延設されている。
【０１１６】
この変形防止部２０３，２０３の先端側（予備変位部１７と反対側）は、過大変位防止部２３，２３と一対のアーム接続部１５，１５とが当接したときに、一対のアーム接続部１５、１５の自由端側を通過させることが可能なように開口されている。
【０１１７】
このような変形防止部２０３，２０３には、一対のコネクタ端子１３，１３をハウジング１１に組付けるときに、作業者、或いは組付機などによって、図２０に示すように、一対のアーム接続部１５，１５を互いに離間する方向に一次的に変位させて、変形防止部２０３，２０３の先端側を通過させ、一対のアーム接続部１５，１５を復元させることによって、一対のアーム接続部１５，１５の自由端側が配置される。
【０１１８】
この変形防止部２０３，２０３に配置された一対のアーム接続部１５，１５は、一対のコネクタ端子１３，１３がハウジング１１に収容された状態で、図２１に示すように、予備変位部１７に当接されて互いに離間する方向に予備変位される。
【０１１９】
このような変形防止部２０３，２０３の延設長さは、一対のアーム接続部１５，１５が予備変位部１７に当接した状態から一対のアーム接続部１５，１５が互いに離間する方向に変位する（ここではアーム接続部１５が過大変位防止部２３に当接する）までの間、一対のアーム接続部１５，１５のブラケット５と対向する面と当接するように設定されている。
【０１２０】
このため、変形防止部２０３，２０３は、ブラケット５に対するハウジング１１の着脱のいずれにおいても、互いに離間する方向に変位する一対のアーム接続部１５，１５と当接可能に配置されている。
【０１２１】
詳細には、変形防止部２０３，２０３は、ハウジング１１をブラケット５に組付けたときに、アーム部９の一対の接点部３７，３７との接触によって、互いに離間する方向に変位された一対のアーム接続部１５，１５のブラケット５と対向する面と当接している。
【０１２２】
一方、変形防止部２０３，２０３は、ハウジング１１をブラケット５から離脱させるときに、一対のアーム接続部１５，１５とアーム部９の端部との摺動によって、互いに離間する方向に僅かに変位された一対のアーム接続部１５，１５のブラケット５と対向する面と当接している。
【０１２３】
このように変形防止部２０３，２０３を設けることにより、ハウジング１１をブラケット５から離脱させるときの一対のアーム接続部１５，１５とアーム部９の端部との摺動によるアーム接続部１５の離脱方向と反対方向への変形を防止できるたけでなく、コネクタ端子１３がハウジング１１に収容された状態で、常に、アーム接続部１５の離脱方向と反対方向への変形を防止することができる。
【０１２４】
このようなサンバイザ用コネクタ２０１では、変形防止部２０３，２０３が、一対のアーム接続部１５，１５と予備変位部１７とが当接された状態から一対のアーム接続部１５，１５とアーム部９の端部とが接続された状態を超えて一対のアーム接続部１５，１５が離間する方向に変位するまで、一対のアーム接続部１５，１５の自由端側と当接可能に配置されているので、常に、アーム接続部１５の離脱方向と反対方向への変形を防止することができる。
【０１２５】
なお、本発明の実施の形態に係るサンバイザ用コネクタでは、ハウジングをブラケットに回動させて組付けているが、ハウジングをブラケットに直線的に組付けるようにしてもよい。
【符号の説明】
【０１２６】
１，１０１，２０１…サンバイザ用コネクタ
３…取付部材
５…ブラケット
７…サンバイザ本体
９…アーム部
１１…ハウジング
１３…コネクタ端子
１５…アーム接続部
１７…予備変位部
１９…リブ
２１…テーパ
２３…過大変位防止部
１０３，２０３…変形防止部
【図１】
2020019418.tif 000003
【図２】
2020019418.tif 000004
【図３】
2020019418.tif 000005
【図４】
2020019418.tif 000006
【図５】
2020019418.tif 000007
【図６】
2020019418.tif 000008
【図７】
2020019418.tif 000009
【図８】
2020019418.tif 000010
【図９】
2020019418.tif 000011
【図１０】
2020019418.tif 000012
【図１１】
2020019418.tif 000013
【図１２】
2020019418.tif 000014
【図１３】
2020019418.tif 000015
【図１４】
2020019418.tif 000016
【図１５】
2020019418.tif 000017
【図１６】
2020019418.tif 000018
【図１７】
2020019418.tif 000019
【図１８】
2020019418.tif 000020
【図１９】
2020019418.tif 000021
【図２０】
2020019418.tif 000022
【図２１】
2020019418.tif 000023
【図２２】
2020019418.tif 000024
【図２３】
2020019418.tif 000025
【図２４】
2020019418.tif 000026